【手続補正書】
【提出日】令和1年11月21日(2019.11.21)
【手続補正１】
【補正対象書類名】特許請求の範囲
【補正対象項目名】全文
【補正方法】変更
【補正の内容】
【特許請求の範囲】
【請求項１】
第１の装置によるワイヤレス通信のための方法であって、
カバレッジ拡張（ＣＥ）レベルに少なくとも部分的に基づいて、第１のサブフレームの１つまたは複数のスロットの間に送信すべきパイロットシンボルの数を決定することと、
前記第１のサブフレームの前記１つまたは複数のスロットにおいて前記決定された数のパイロットシンボルを有する少なくとも１つのアップリンクデータチャネルを送信することと
を備える方法。
【請求項２】
前記決定することは、カバレッジ拡張なしに対応するＣＥレベルについてパイロットシンボルの第１の数を決定することを備える、請求項１に記載の方法。
【請求項３】
前記決定することは、物理アップリンク共有チャネル（ＰＵＳＣＨ）反復レベル、ＰＵＳＣＨ変調およびコーディングスキーム、ＲＲＣ構成メッセージ、またはアップリンク（ＵＬ）グラントのうちの少なくとも１つに基づく、請求項１に記載の方法。
【請求項４】
前記第１のサブフレームは、第２の装置によって使用される第２のサブフレームに対して、より長い持続時間を有し、
前記第１のサブフレームは、前記第１のサブフレームの持続時間に基づいて、より低い周波数のトーン間隔スキームを有する、
請求項１に記載の方法。
【請求項５】
前記第２のサブフレームと前記第１のサブフレームとの間のブロック直交性を維持するようにサイクリックプレフィクス（ＣＰ）長を調整すること
をさらに備える、請求項４に記載の方法。
【請求項６】
前記第２のサブフレームは、拡張ＣＰを利用する、請求項５に記載の方法。
【請求項７】
前記第１のサブフレームは、拡張ＣＰより短い長さのサイクリックプレフィクス（ＣＰ）を用いるより高い周波数のトーン間隔スキームを有するサブフレームに対応する、請求項４に記載の方法。
【請求項８】
サウンディング基準信号（ＳＲＳ）が第３のサブフレームにおける送信にスケジューリングされるかどうかを決定することと、
前記第１のサブフレームに対してより高い周波数のトーン間隔スキームで前記ＳＲＳがスケジューリングされる前記第３のサブフレームにおいて送信することと
をさらに備える、請求項４に記載の方法。
【請求項９】
前記第３のサブフレームにおいて前記送信することは、前記ＳＲＳがスケジューリングされる前記第３のサブフレーム中のシンボルが、前記第２の装置によって送信されるシンボルと符号分割多重化されるように、データチャネルを送信することを備える、請求項８に記載の方法。
【請求項１０】
前記データチャネルを送信することは、少なくとも、前記より低い周波数のトーン間隔スキームで第１のシンボルを、前記より高い周波数のトーン間隔スキームで第２のシンボルを送信することをさらに備える、請求項９に記載の方法。
【請求項１１】
サウンディング基準信号（ＳＲＳ）が、第３のサブフレームにおける送信にスケジューリングされると決定することと、
前記アップリンクデータチャネルを送信する際に、前記ＳＲＳによって使用されるトーンが回避され得るように、コムパターンを決定することと
をさらに備える、請求項４に記載の方法。
【請求項１２】
前記より低い周波数のトーン間隔スキームは、３ｋＨｚ、３．７５ｋＨｚ、または７．５ｋＨｚトーン間隔のうちの少なくとも１つを備える、請求項４に記載の方法。
【請求項１３】
前記送信することは、前記より低い周波数のトーン間隔で送信された前のシンボルの数に基づいて、より高い周波数のトーン間隔スキームで前記少なくとも１つのアップリンクデータチャネルを送信することを備える、請求項１２に記載の方法。
【請求項１４】
ワイヤレス通信のための装置であって、
請求項１ないし１３のいずれか一項に記載の方法を実行するための手段
を備える装置。
【請求項１５】
命令を備える非一時的なコンピュータ読取可能な媒体であって、前記命令は、少なくとも１つのプロセッサによって実行されると、請求項１ないし１３のいずれか一項に記載の方法を実行することを前記少なくとも１つのプロセッサに行わせる、非一時的なコンピュータ読取可能な媒体。
【手続補正２】
【補正対象書類名】明細書
【補正対象項目名】００９８
【補正方法】変更
【補正の内容】
【００９８】
[00113]  本開示の先の説明は、当業者による本開示の製造または使用を可能にするために提供される。本開示への様々な修正は、当業者には容易に明らかとなり、ここで定義した包括的な原理は、本開示の精神または範囲から逸脱することなく、他の変形に適用され得る。ゆえに、本開示は、ここで説明された例および設計に限定されることを意図するものでなく、ここで開示された原理および新規の特徴に合致する最も広い範囲が与えられるべきである。
以下に本願の出願当初の特許請求の範囲に記載された発明を付記する。
［Ｃ１］  第１の装置によるワイヤレス通信のための方法であって、
カバレッジ拡張（ＣＥ）レベルに少なくとも部分的に基づいて、第１のサブフレームの１つまたは複数のスロットの間に送信すべきパイロットシンボルの数を決定することと、
前記第１のサブフレームの前記１つまたは複数のスロットにおいて前記決定された数のパイロットシンボルを有する少なくとも１つのアップリンクデータチャネルを送信することと
を備える方法。
［Ｃ２］  前記決定することは、カバレッジ拡張なしに対応するＣＥレベルについてパイロットシンボルの第１の数を決定することを備える、Ｃ１に記載の方法。
［Ｃ３］  前記決定することは、物理アップリンク共有チャネル（ＰＵＳＣＨ）反復レベル、ＰＵＳＣＨ変調およびコーディングスキーム、ＲＲＣ構成メッセージ、またはアップリンク（ＵＬ）グラントのうちの少なくとも１つに基づく、Ｃ１に記載の方法。
［Ｃ４］  前記第１のサブフレームは、第２の装置によって使用される第２のサブフレームに対して、より長い持続時間を有し、
前記第１のサブフレームは、前記第１のサブフレームの持続時間に基づいて、より低い周波数のトーン間隔スキームを有する、
Ｃ１に記載の方法。
［Ｃ５］  前記第２のサブフレームと前記第１のサブフレームとの間のブロック直交性を維持するようにサイクリックプレフィクス（ＣＰ）長を調整すること
をさらに備える、Ｃ４に記載の方法。
［Ｃ６］  前記第２のサブフレームは、拡張ＣＰを利用する、Ｃ５に記載の方法。
［Ｃ７］  前記第１のサブフレームは、拡張ＣＰより短い長さのサイクリックプレフィクス（ＣＰ）を用いるより高い周波数のトーン間隔スキームを有するサブフレームに対応する、Ｃ４に記載の方法。
［Ｃ８］  サウンディング基準信号（ＳＲＳ）が第３のサブフレームにおける送信にスケジューリングされると決定することと、
前記第１のサブフレームに対してより高い周波数のトーン間隔スキームでＳＲＳがスケジューリングされる前記サブフレームにおいて送信するように前記装置を構成することと
をさらに備える、Ｃ４に記載の方法。
［Ｃ９］  前記送信することは、ＳＲＳがスケジューリングされる前記サブフレーム中のシンボルが、前記第２の装置によって送信されるシンボルと符号分割多重化されるように、ＳＲＳがスケジューリングされる前記サブフレームにおいてデータチャネルを送信することを備える、Ｃ８に記載の方法。
［Ｃ１０］  ＳＲＳがスケジューリングされる前記サブフレームにおいて前記データチャネルを送信することは、少なくとも、前記より低い周波数のトーン間隔スキームで第１のシンボルを、前記より高い周波数のトーン間隔スキームで第２のシンボルを送信することをさらに備える、Ｃ９に記載の方法。
［Ｃ１１］  サウンディング基準信号（ＳＲＳ）が、第３のサブフレームにおける送信にスケジューリングされると決定することと、
前記アップリンクデータチャネルを送信する際に、前記ＳＲＳによって使用されるトーンが回避され得るように、コムパターンを決定することと
をさらに備える、Ｃ４に記載の方法。
［Ｃ１２］  前記より低い周波数のトーン間隔スキームは、３ｋＨｚ、３．７５ｋＨｚ、または７．５ｋＨｚトーン間隔のうちの少なくとも１つを備える、Ｃ４に記載の方法。
［Ｃ１３］  前記送信することは、より低い周波数のトーン間隔で送信された前のシンボルの数に基づいて、より高い周波数のトーン間隔スキームで前記アップリンクデータチャネルを送信することを備える、Ｃ１２に記載の方法。
［Ｃ１４］  前記より低い周波数のトーン間隔スキームは、３．７５ｋＨｚトーン間隔を備え、前記より高い周波数のトーン間隔スキームは、７．５ｋＨｚトーン間隔を備える、Ｃ１３に記載の方法。
［Ｃ１５］  前記送信することは、前記アップリンクデータチャネルのシンボルが、第２の装置によって送信されるシンボルと符号分割多重化されるように、前記アップリンクデータチャネルを送信することを備える、Ｃ１に記載の方法。
［Ｃ１６］  前記第１の装置は、ユーザ機器（ＵＥ）を備える、Ｃ１に記載の方法。
［Ｃ１７］  ワイヤレス通信のための第１の装置であって、少なくとも１つのプロセッサを備え、前記少なくとも１つのプロセッサは、
カバレッジ拡張（ＣＥ）レベルに少なくとも部分的に基づいて、第１のサブフレームの１つまたは複数のスロットの間に送信すべきパイロットシンボルの数を決定することと、
前記第１のサブフレームの前記１つまたは複数のスロットにおいて前記決定された数のパイロットシンボルを有する少なくとも１つのアップリンクデータチャネルを送信することと
を行うように構成される、装置。
［Ｃ１８］  ワイヤレス通信のための第１の装置であって、
カバレッジ拡張（ＣＥ）レベルに少なくとも部分的に基づいて、第１のサブフレームの１つまたは複数のスロットの間に送信すべきパイロットシンボルの数を決定するための手段と、
前記第１のサブフレームの前記１つまたは複数のスロットにおいて前記決定された数のパイロットシンボルを有する少なくとも１つのアップリンクデータチャネルを送信するための手段と
を備える第１の装置。
［Ｃ１９］  コンピュータプログラム製品であって、
コードを備えるコンピュータ読取可能な媒体を備え、前記コードは、少なくとも１つのプロセッサによって実行されると、
カバレッジ拡張（ＣＥ）レベルに少なくとも部分的に基づいて、第１のサブフレームの１つまたは複数のスロットの間に送信すべきパイロットシンボルの数を決定することと、
前記第１のサブフレームの前記１つまたは複数のスロットにおいて前記決定された数のパイロットシンボルを有する少なくとも１つのアップリンクデータチャネルを送信することと
を前記少なくとも１つのプロセッサに行わせる、コンピュータプログラム製品。
［Ｃ２０］  ユーザ機器（ＵＥ）によるワイヤレス通信のための方法であって、
第１の変調スキームを決定することと、
第２の変調スキームを決定することと、
データ送信のためのリソースの第１のセットと、パイロット送信のためのリソースの第２のセットとを決定することと、
リソースの前記第１および第２のセット上で少なくとも１つのアップリンクデータチャネルを送信することと
を備え、
ここにおいて、リソースの前記第１のセットは、前記第１の変調スキームを使用し、リソースの前記第２のセットは、前記第２の変調スキームを使用する、方法。
［Ｃ２１］  前記第１の変調スキームは、ｐｉ／４ ＱＰＳＫまたはｐｉ／２ ＢＰＳＫを備え、前記第２の変調スキームは、ｐｉ／４ ＱＰＳＫまたはｐｉ／２ ＢＰＳＫを備える、Ｃ２０に記載の方法。
［Ｃ２２］  前記第１の変調スキームを決定することは、前記変調スキームを含むダウンリンクグラントを受信することを備え、
前記第２の変調スキームは、前記第１の変調スキームに基づいて決定される、
Ｃ２０に記載の方法。
［Ｃ２３］  前記第１および第２の変調スキームは、同じである、
Ｃ２２に記載の方法。
［Ｃ２４］  変調に適用される位相オフセットは、
セルＩＤ、スロット境界に対するタイミング、サブフレーム境界に対するタイミング、絶対タイミング、またはホッピングインスタンスに対するタイミング
のうちの少なくとも１つに少なくとも基づいて決定される、Ｃ２１に記載の方法。
［Ｃ２５］  前記第２の変調スキームを使用してリソースの前記第２のセット上で送信されるべきバイナリシーケンスは、
セルＩＤ、絶対タイミング、ＵＥ ＩＤ、変調タイプ、またはダウンリンクグラント中のインジケーション
のうちの少なくとも１つに少なくとも基づいて決定される、Ｃ２１に記載の方法。
［Ｃ２６］  バイナリシーケンスを決定することと、
前記第２の変調スキームにおいてコンステレーション点のサブセットを選択することと、
前記バイナリシーケンスと、前記コンステレーション点の前記サブセットとに少なくとも部分的に基づいて、前記第２の変調スキームを使用してリソースの前記第２のセット上で送信することと
をさらに備える、Ｃ２０に記載の方法。
［Ｃ２７］  前記コンステレーション点のサブセットを前記選択することは、
セルＩＤ、スロット境界に対するタイミング、サブフレーム境界に対するタイミング、絶対タイミング、ホッピングインスタンスに対するタイミング、異なるコンステレーションに適用される回転、サイクリックプレフィクス長、ＵＥ ＩＤ、サイクリックシフト、または反復レベル
のうちの少なくとも１つに基づいて行われる、Ｃ２６に記載の方法。
［Ｃ２８］  前記コンステレーション点の前記サブセットを前記選択することは、前記第１または第２の変調スキームにかかわらず、２つのコンステレーション点を選択することを備え、
バイナリシーケンスを前記決定することは、前記第１または第２の変調スキームを前記決定することから独立に行われる、
Ｃ２６に記載の方法。
［Ｃ２９］  前記バイナリシーケンスは、セルＩＤ、スロット境界に対するタイミング、サブフレーム境界に対するタイミング、絶対タイミング、ホッピングインスタンスに対するタイミング、異なるコンステレーションに適用される回転、サイクリックプレフィクス長、ＵＥ ＩＤ、サイクリックシフト、または反復レベル
のうちの少なくとも１つに基づいて決定される、Ｃ２６に記載の方法。
［Ｃ３０］  ワイヤレス通信のための装置であって、少なくとも１つのプロセッサを備え、前記少なくとも１つのプロセッサは、
第１の変調スキームを決定することと、
第２の変調スキームを決定することと、
データ送信のためのリソースの第１のセットと、パイロット送信のためのリソースの第２のセットとを決定することと、
リソースの前記第１および第２のセット上で少なくとも１つのアップリンクデータチャネルを送信することと
を行うように構成され、
ここにおいて、リソースの前記第１のセットは、前記第１の変調スキームを使用し、リソースの前記第２のセットは、前記第２の変調スキームを使用する、装置。
［Ｃ３１］  ワイヤレス通信のための装置であって、
第１の変調スキームを決定するための手段と、
第２の変調スキームを決定するための手段と、
データ送信のためのリソースの第１のセットと、パイロット送信のためのリソースの第２のセットとを決定するための手段と、
リソースの前記第１および第２のセット上で少なくとも１つのアップリンクデータチャネルを送信するための手段と
を備え、
ここにおいて、リソースの前記第１のセットは、前記第１の変調スキームを使用し、リソースの前記第２のセットは、前記第２の変調スキームを使用する、装置。
［Ｃ３２］  コンピュータプログラム製品であって、
コードを備えるコンピュータ読取可能な媒体を備え、前記コードは、少なくとも１つのプロセッサによって実行されると、
第１の変調スキームを決定することと、
第２の変調スキームを決定することと、
データ送信のためのリソースの第１のセットと、パイロット送信のためのリソースの第２のセットとを決定することと、
リソースの前記第１および第２のセット上で少なくとも１つのアップリンクデータチャネルを送信することと
を前記少なくとも１つのプロセッサに行わせ、
ここにおいて、リソースの前記第１のセットは、前記第１の変調スキームを使用し、リソースの前記第２のセットは、前記第２の変調スキームを使用する、コンピュータプログラム製品。